(57)【特許請求の範囲】
【請求項１】
梱包機における紐の通路へのアクセスを容易にするための装置であって、梱包機のフレーム手段に枢動可能に取り付けられるメインアクセスカバーと、該メインアクセスカバーに一体的に配置される第１供給手段と、掛止手段とを具備し、梱包機から構成要素を取り外すことなく紐の通路へアクセスできるように前記掛止手段を解放したときに前記メインアクセスカバーと前記第１供給手段とが閉じられた作動位置から開かれたアクセス位置まで枢動可能である装置。
【請求項２】
前記メインアクセスカバーに枢動可能に取り付けられる供給輪レバー手段をさらに具備し、該供給輪レバー手段に前記第１供給手段が回転可能に取り付けられ、梱包機が供給モードにあるときに前記供給輪レバー手段が前記第１供給手段を紐に押し付けるように付勢されている請求項１に記載の装置。
【請求項３】
供給輪受容ブロックをさらに具備し、前記第１供給手段が第１供給輪を有し、該第１供給輪は前記メインアクセスカバーが閉じられた作動位置にあるときには前記供給輪受容ブロックのスロットを通って部分的に延びると共に、前記メインアクセスカバーが開かれたときには前記スロットから引き込まれる請求項２に記載の装置。
【請求項４】
前記メインアクセスカバーの下縁部に配置される蝶着点と、前記メインアクセスカバーの末端に配置されるアクセスカバー紐ガイドとをさらに具備する請求項３に記載の装置。
【請求項５】
前記メインアクセスカバーの頂部分に隣接して配置される第１引張り輪および第２引張り輪と、前記メインアクセスカバーの底部分に隣接して配置される第２供給輪と、供給輪圧調節器とをさらに具備し、前記第１供給輪と第２供給輪との間に供給される紐に前記第１供給輪により加えられる圧力が前記供給輪圧調節器によって選択された圧力レベルに保持される請求項４に記載の装置。
【請求項６】
アクチュエータレバーと協動する上方アクセスカバーをさらに具備し、前記アクチュエータレバーがメインカムによって作動せしめられるメインカムローラを有し、前記メインアクセスカバーが開かれたときに前記上方アクセスカバーが開かれた位置に動かされる請求項５に記載の装置。
【請求項７】
前記アクチュエータレバーの底部分に配置されるアクチュエータレバーカム面と、前記供給輪レバーと協動して作動する第１供給輪アクチュエータレバーと、前記アクチュエータレバーカム面と協動するローラ面とをさらに具備し、前記メインカムが前記アクチュエータレバーカム面を介して前記ローラ面および前記第１供給輪アクチュエータレバーと協動する前記アクチュエータレバーに作用して梱包機が紐供給モードになるまで前記第１供給輪を紐から所定の距離を開けて保持する請求項６に記載の装置。
【発明の詳細な説明】
【０００１】
【発明の属する技術分野】
本発明は、紐の詰まりや、供給ミスや、他の問題が生じる傾向がある梱包機の領域に便利にアクセスするための装置および方法に関する。特に、本発明は一体型の供給輪を備えた枢動可能なメインアクセスカバーを提供する。アクセスカバーは、固定具を排除したり、梱包機の本体からアクセスカバーの構成要素を分離したりする必要なく、開かれて梱包機の本体から離されるよう枢動される。
【０００２】
【従来の技術および発明が解決しようとする課題】
過去、梱包機は、梱包機における問題の領域へ修理のためにアクセスすることができるように、取り外し可能な紐ガイドおよびアクセスカバーを必要とした。紐の詰まりや、供給ミスや、紐の屑が非常に堆積してしまったような問題が通常は生じるため、梱包機の或る領域へのアクセスは重要である。特に、供給輪および引張り輪や方向転換紐ガイドの近くの領域へのアクセスは、これら場所における概ね狭い空間許容差のために重大である。従来の梱包機は必要に応じてアクセスするための取り外し可能な構成要素を必要とした。しかしながら、梱包機から構成要素を一時的に取り外すことには幾つかの問題がある。取り外された構成要素上で必要である固定具を外したり取り付けたりするのに通常は工具が必要である。アクセスカバーやガイドのような取り外された構成要素が梱包機から分離されるために損傷したりなくなったりする危険性が増す。
【０００３】
工具なしでも構成要素を取り外せる従来の梱包機では、必要な領域へのアクセスは限定される。
本発明では、従来の梱包機の上述の欠点を取り上げて解決する。
【０００４】
【課題を解決するための手段】
本発明の目的は、供給および引張り機構の全紐通路へ十分に便利にアクセスできる梱包機を提供することにある。
本発明の更なる目的は、所定位置に保持され且つ作動のための工具を必要としない掛止機構を介して解放可能である枢動可能な紐通路カバーを提供することにある。
本発明の更なる目的は、アクセスカバーに組み付けられた可動な供給輪の簡単な配置および調節を提供することにある。
【０００５】
【発明の実施の形態】
上記および他の目的は本発明により果たされる。
図１に示すように、本発明は梱包機のフレームに枢動可能に取り付けられるメインアクセスカバー１を開示する。一つの実施形態では、メインアクセスカバー１は該メインアクセスカバー１の下縁部に隣接した二つの点で蝶着される。メインアクセスカバー１は蝶着された縁部から離れた場所において湾曲した形状のアクセスカバーガイド１８で終端する。一つの実施形態のアクセスカバーガイド１８は、第一引張り輪１２の周りで紐(strap) を導く。一つの実施形態において、本発明は、互いに平行な中心軸線を有する第一引張り輪１２と第二引張り輪１３とを有し、これら引張り輪１２および１３は梱包機のフレームに固定され、供給輪の上方の場所に位置する。フレームには第二供給輪８が固定されており、この第二供給輪８は第二引張り輪１３の直ぐ下方に位置する。メインアクセスカバー１には第一供給輪４が取り付けられ、この第一供給輪４はメインアクセスカバー１内において供給輪レバー軸６周りで回転可能である。メインアクセスカバー１に供給輪レバー５が枢動可能に取り付けられ、この供給輪レバー５は、第一供給輪４を紐に対して傾ける方向にばね付勢されて、対向した第二供給輪８に紐をしっかりと押し付ける。
【０００６】
メインアクセスカバー１にはばね付勢ラッチ、即ち、ばね付勢掛止部材９が取り付けられている。メインアクセスカバー１が直立して閉鎖された作動位置にある時、ばね付勢掛止部材９はメインアクセスカバー１を所定位置に保持する。掛止ハンドル１７に外力を加えた時、ばね付勢掛止部材９が動かされて固定位置から外れ、メインアクセスカバー１が下方へ枢動されて開けられた位置となる。掛止ハンドル１７を引っ張って開けることは、第一供給輪４を紐に対して付勢するばねに対しても作用するため、第一供給輪４が動かされて紐および対向した第二供給輪８から離れ、これにより、メインアクセスカバー１を容易に開け閉めするのに十分な空隙が第一供給輪４、紐および他の構成要素の間に形成される。一つの実施形態では、メインアクセスカバー１は、閉じられた位置での作動中において、メインアクセスカバー１に設けられたスロットを介して第一供給輪４の周面の小さな一部分だけが紐に対して露出するように形成される。スロットは供給輪受容ブロック２２に設けることができる。第一供給輪４の周面は、側方の掛止ハンドル１７を引っ張って開く際にスロットから引き出される。
【０００７】
第一供給輪４および第一引張り輪１２の位置を制御するのに、カム面１４を有する枢動可能なアクチュエータレバー、即ち、作動レバー１１を用いることができる。枢動可能な作動レバー１１のカム面１４は、梱包機を紐供給モード、即ち、紐供給状態にする前では、紐供給状態になるまで第一供給輪４を紐から離して保持する。カム面１４は、メインアクセスカバー１が閉じられた作動位置になった時、ローラ面１９に載る。
【０００８】
図３を参照すると、作動レバー１１はメインカムローラ２０に対する梱包機のメインスペースカムの作用により意図的に配置される。作動レバー１１がメインスペースカムにより推進されると、作動レバー１１のカム面１４がローラ面１９に作用するため、第一供給輪アクチュエータレバー、即ち、第一供給輪作動レバー２１を供給輪レバー５へと推進し、第一供給輪４を紐に交互に係合させたり外したりする。
【０００９】
図２および図３を参照すると、上方アクセスカバー２は、メインアクセスカバー１が開かれた位置にある時に開かれるようにばね付勢されている。閉じられた作動位置にある時には、上方アクセスカバー２は第一引張り輪１２の下流側の紐のための案内通路を提供する。
【００１０】
作動では、組み込まれた第一供給輪４を備えた枢動可能なメインアクセスカバー１によって、供給輪間や引張り輪間の重要な領域へのアクセスが制限されることがないため、操作者がこの領域の塵を除去したり、紐の供給ミスを直したりすることが非常に容易になる。上記領域の清掃作業や故障修理作業が簡単であるため、通常の供給状態および引張り状態の性能が維持され且つこれら性能が高められると共に、これら特徴を含む梱包機の全体の性能が非常に高められる。
上述した本発明は与えられたものの均等の範囲を含み、特許請求の範囲によってのみ限定される。
【図面の簡単な説明】
【図１】本発明の前方且つ上方から見た斜視図である。
【図２】本発明の後方且つ上方から見た斜視図である。
【図３】本発明の前面図である。
【符号の説明】
１…メインアクセスカバー
５…供給輪レバー
８…第二供給輪
９…ばね付勢掛止部材
１１…作動レバー
１２…第一引張り輪
１３…第二引張り輪
１４…カム面
１７…掛止ハンドル
１８…アクセスカバーガイド
１９…ローラ面
２０…メインカムローラ
２１…第一供給輪作動レバー
【図１】
0003756599.tif 000002
【図２】
0003756599.tif 000003
【図３】
0003756599.tif 000004